(57)【要約】【課題】簡単な構造の電池バネ自身によって基板に仮止め可能とし、且つ位置決めも可能として生産効率を向上させる電池バネ取り付け構造を提供することである。【解決手段】電池バネ４０の基板１０に接触する取り付け部４３の途中に形成された第１の折り曲げ部４４と、取り付け部４３の端部に形成された第２の折り曲げ部４５とが、基板１０に形成された第１の孔部１３と第２の孔部１４とにそれぞれ挿入されて半田付けされた電池バネ取り付け構造において、第２の折り曲げ部４５は、取り付け部４３を９０°未満折り曲げることにより形成され、第２の折り曲げ部４５の直線状部が、半田面側の第２の孔部１４の縁１４ａに接触し、第１の折り曲げ部４４の幅が、第１の孔部１３の幅よりも狭く、第１の折り曲げ部４４と第２の折り曲げ部４５とが、それぞれ第１の孔部１３と第２の孔部１４とから突出している構成とする。【選択図】図２
2007294335.tif 000002
【特許請求の範囲】
【請求項１】
電池バネの基板に接触する取り付け部の途中に形成された第１の折り曲げ部と、前記取り付け部の端部に形成された第２の折り曲げ部とが、基板に形成された第１の孔部と第２の孔部とにそれぞれ挿入されて半田付けされた電池バネ取り付け構造を有するリモコンにおいて、
前記第２の折り曲げ部は、前記取り付け部を９０°未満折り曲げることにより形成され、
前記第２の折り曲げ部の直線状部が、半田面側の前記第２の孔部の縁に接触し、
前記第１の折り曲げ部の幅が、前記第１の孔部の幅よりも狭く、
前記第１の折り曲げ部と前記第２の折り曲げ部とが、それぞれ前記第１の孔部と前記第２の孔部とから突出していることを特徴とするリモコン。
【請求項２】
電池バネの基板に接触する取り付け部の途中に形成された第１の折り曲げ部と、前記取り付け部の端部に形成された第２の折り曲げ部とが、基板に形成された第１の孔部と第２の孔部とにそれぞれ挿入されて半田付けされた電池バネ取り付け構造において、
前記第２の折り曲げ部は、前記取り付け部を９０°未満折り曲げることにより形成されていることを特徴とする電池バネ取り付け構造。
【請求項３】
前記第２の折り曲げ部の直線状部が、半田面側の前記第２の孔部の縁に接触していることを特徴とする請求項２記載の電池バネ取り付け構造。
【請求項４】
前記第１の折り曲げ部の幅が、前記第１の孔部の幅よりも狭いことを特徴とする請求項２又は３記載の電池バネ取り付け構造。
【請求項５】
前記第１の折り曲げ部と前記第２の折り曲げ部とが、それぞれ前記第１の孔部と前記第２の孔部とから突出していることを特徴とする請求項２〜４の何れかに記載の電池バネ取り付け構造。
【発明の詳細な説明】
【技術分野】
【０００１】
本発明は、電池バネを基板に取り付ける電池バネ取り付け構造及びその構造を有したリモコンに関する。
【背景技術】
【０００２】
一般に、リモコンなど乾電池で駆動する電気機器において、乾電池の装着には乾電池の−極と＋極に圧接する２種類の電池バネを使用することが多い。電池バネは基板に半田で固定されるが、その取り付け構造として様々な構造が提案されている。
【０００３】
例えば特許文献１には、基板に設けられた端子取付用の半田付けランドに設けられた略楕円形穴部に連通するように、長手方向に向けて細幅のスリットが形成され、基板における半田付けランドの近傍に電池バネの先端が入り込む穴部が設けられており、電池バネは、基板の半田付けランドの略楕円形穴部に入り込む盛り上がり部と、スリットに入り込む直線状部と、穴部に入り込む略コ字形の先端部と、盛り上がり部から電池ケースまで延設された電池接触部とより構成されたリモコンの電池バネ取付構造が開示されている。
【０００４】
また特許文献２には、電池用ターミナルの取付け部に具備させた２つの折曲げ部を、絶縁基板の２つの孔部に各別に挿入して半田付けし、一方の折曲げ部をＵ字形状に形成して絶縁基板の長孔部の孔部に挿入し、Ｕ字形状の折曲げ部を孔部の長手方向の孔縁に弾接させた状態で絶縁基板に半田付けするリモコンユニットが開示されている。
【０００５】
また特許文献３には、コイルばねからなる端子において、コイルばねの基端部に形成された係合片と、係合片に隣接して形成された凸状の弾性係合部とを備え、基板に形成された２箇所の挿入孔の各々に係合片と弾性係合部とを差し込み係合させるように構成する端子の取付構造が開示されている。
【特許文献１】特開２００６−４８３７号公報
【特許文献２】実登３０７０４９９号公報
【特許文献３】実開平６−２３１６０号公報
【発明の開示】
【発明が解決しようとする課題】
【０００６】
特許文献１によれば、半田付けの際に電池バネを落ちないように固定することができるが、半田付けの前に電池バネを基板に組み付ける際に、電池バネを基板の片面から組み付けることができないので手間が掛かり作業効率が悪い。
【０００７】
また特許文献２によれば、Ｕ字形状の折曲げ部を孔部に嵌合させているので仮止めの姿勢が保たれやすいが、Ｕ字形状の折曲げ部を孔部に嵌合させる作業にある程度の力が必要となり作業性が悪い。
【０００８】
また特許文献３によれば、端子の上下左右の位置決めができるが、弾性係合部を挿入孔に嵌める作業にある程度の力が必要となり作業性が悪く、弾性係合部を作製する工程で曲げ回数が多くなりコストが増す。
【０００９】
ところで特許文献１〜特許文献３のような構成としない従来の電池バネの構造では、電池バネを基板に組み付けた後、電池バネの位置決めと落下防止のためテープで仮止めしてから半田付けする必要があった。
【００１０】
本発明は、簡単な構造の電池バネ自身によって基板に仮止め可能とし、且つ位置決めも可能として生産効率を向上させる電池バネ取り付け構造を提供することを目的とする。またこの電池バネ取り付け構造を備えたリモコンを提供することも目的とする。
【課題を解決するための手段】
【００１１】
上記目的を達成するために本発明は、電池バネの基板に接触する取り付け部の途中に形成された第１の折り曲げ部と、前記取り付け部の端部に形成された第２の折り曲げ部とが、基板に形成された第１の孔部と第２の孔部とにそれぞれ挿入されて半田付けされた電池バネ取り付け構造において、
前記第２の折り曲げ部は、前記取り付け部を９０°未満折り曲げることにより形成されていることを特徴とする。
【００１２】
この構成によると、電池バネを基板に挿入した後、半田付けを行うために基板を裏返しも、第１の折り曲げ部と第２の折り曲げ部とがそれぞれ第１の孔部と第２の孔部とに接触した状態を保ち抜け落ちることがない。
【００１３】
上記の電池バネ取り付け構造において、前記第２の折り曲げ部の直線状部が、半田面側の前記第２の孔部の縁に接触していることが望ましい。電池バネをより確実に基板へ仮止めできるからである。
【００１４】
また上記の電池バネ取り付け構造において、前記第１の折り曲げ部の幅が、前記第１の孔部の幅よりも狭いことが望ましい。第１の折り曲げ部を第１の孔部へ嵌り易くすることで作業性が向上するからである。
【００１５】
また上記の電池バネ取り付け構造において、前記第１の折り曲げ部と前記第２の折り曲げ部とが、それぞれ前記第１の孔部と前記第２の孔部とから突出していることが望ましい。半田付けが確実に行え、電池バネがより安定して固定されるからである。
【００１６】
本発明を具体化すると、電池バネの基板に接触する取り付け部の途中に形成された第１の折り曲げ部と、前記取り付け部の端部に形成された第２の折り曲げ部とが、基板に形成された第１の孔部と第２の孔部とにそれぞれ挿入されて半田付けされた電池バネ取り付け構造を有するリモコンにおいて、
前記第２の折り曲げ部は、前記取り付け部を９０°未満折り曲げることにより形成され、
前記第２の折り曲げ部の直線状部が、半田面側の前記第２の孔部の縁に接触し、
前記第１の折り曲げ部の幅が、前記第１の孔部の幅よりも狭く、
前記第１の折り曲げ部と前記第２の折り曲げ部とが、それぞれ前記第１の孔部と前記第２の孔部とから突出している構成となる。
【発明の効果】
【００１７】
本発明によれば、取り付け部を９０°未満折り曲げて第２の折り曲げ部を形成することにより、電池バネを基板に仮止めする効果が得られ、半田付けの前に電池バネが基板から抜け落ちることがない。従って、電池バネを基板にテープなどで仮止めする工程をなくすことができ、生産効率が向上する。
【００１８】
また、第２の折り曲げ部が斜めに形成されているため、必ず第１の折り曲げ部の第２の折り曲げ部側の直線状部と第１の孔部の第２の孔部側の内壁とが接触するので、自動的に基板に対して電池バネが位置決めされる。
【発明を実施するための最良の形態】
【００１９】
図１はリモコンの要部を示した概略図であり、図２は図１のＡ−Ａ線断面図、図３は基板の要部の平面図である。
【００２０】
リモコンの内部には電気部品や電気回路が設けられた基板１０が搭載されている。基板１０は縦長形状であり、前端部に発光素子２０が取り付けられ、後端部に電池バネ３０、４０が取り付けられている。電池バネ３０、４０の一端にはそれぞれ接触片３１、４１が備わっており、接触片３１、４１が乾電池（不図示）の−極又は＋極に接触するようになっている。
【００２１】
一方の電池バネ４０は、接触片４１と、接触片４１から延出した線状の脚部４２と、脚部４２の根元から延出した線状の取り付け部４３とから構成されている。取り付け部４３は電池バネ４０の基板１０に接触する部分である。なお、脚部４２と取り付け部４３とは１本の導電性の線材によって形成されている。
【００２２】
図２に示すように、取り付け部４３は、その途中である長手方向の中間付近にコ字型に折り曲げられて形成された第１の折り曲げ部４４と、その端部が折り曲げられて形成された第２の折り曲げ部４５とを有している。なお、第２の折り曲げ部４５は折り曲げられた部分から先端までの部分を指す。
【００２３】
第１の折り曲げ部４４は、基板１０側へ突出する方向に形成され、４箇所の折り曲げ角度はそれぞれ９０°とする。なお、第１の折り曲げ部４４はＵ字型やＶ字型などに折り曲げて形成してもよい。一方、第２の折り曲げ部４５は、第１の折り曲げ部４４と同じ方向に形成され、その折り曲げ角度θは９０°未満（例えば４５°）とする。この角度θの最適化については後述する。
【００２４】
また図３に示すように、基板１０には電池バネ４０を取り付けるための孔部が形成されている。その孔部は、第１の折り曲げ部４４を挿入する長孔状の第１の孔部１３と、第２の折り曲げ部を挿入する長孔状の第２の孔部１４とからなり、第１の孔部１３と第２の孔部１４とは直線状に配置されている。そして、基板１０の電池バネ４０の取り付け部４４が配置される側とは反対面に、第１の孔部１３及び第２の孔部１４を囲むように半田付け用の導電薄膜（不図示）が設けられている。
【００２５】
上記の構成の電池バネ４０と基板１０とは、第１の折り曲げ部４４が第１の孔部１３に挿入され、第２の折り曲げ部４５が第２の孔部１４に挿入された状態で、第１の折り曲げ部４４及び第２の折り曲げ部４５がそれぞれ半田５０、５１により固定される。
【００２６】
図２に示すように、第１の折り曲げ部４４と第２の折り曲げ部４５とは、それぞれ第１の孔部１３と第２の孔部１４とから半田面側に突出していることが望ましい。半田付けが確実に行え、電池バネ４０がより安定して固定されるからである。
【００２７】
また、第１の折り曲げ部４４の長手方向の幅Ｌは、第１の孔部１３の長手方向の幅Ｍよりも狭いことが望ましい。第１の折り曲げ部４４を第１の孔部１３へ嵌り易くすることで作業性を向上させるためである。例えば、幅Ｌを５ｍｍ、幅Ｍを５．４ｍｍとすることができる。
【００２８】
電池バネ４０を基板１０へ取り付ける際は、まず第２の折り曲げ部４５の先端が第２の孔部１４から突出する位置まで挿入し、次に取り付け部４３を基板１０側へ倒しながら第１の折り曲げ部４４を第１の孔部１３へ挿入し、取り付け部４３が基板１０へ接触する状態にする。これにより、第２の折り曲げ部４５の先端付近の直線状部が第２の孔部１４の縁１４ａに接触し、第１の折り曲げ部４４の脚部４２側の直線状部が第１の孔部１３の脚部４２側の内壁１３ａに接触した状態となる。そして第１の折り曲げ部４４の第２の折り曲げ部４５側の直線状部と、第１の孔部１３の第２の孔部１４側の内壁１３ｂとの間には隙間（幅Ｍ−幅Ｌ分の隙間）ができる。
【００２９】
この状態から半田付けを行うために基板１０を裏返し、半田５０、５１により固定する。基板１０を裏返しても、電池バネ４０は縁１４ａと内壁１３ａとで支えられており仮止めの効果があるので、電池バネ４０が基板１０から抜け落ちることがない。従って、電池バネ４０を基板１０にテープなどで仮止めする工程をなくすことができ、生産効率が向上する。
【００３０】
また、第２の折り曲げ部４５が斜めに形成されているため幅Ｍ−幅Ｌ分の隙間は必ず第１の折り曲げ部４４の第２の折り曲げ部４５側の直線状部と第１の孔部１３の第２の孔部１４側の内壁１３ｂとの間に生じるので、自動的に基板１０に対して電池バネ４０が位置決めされる。
【００３１】
上記の効果は、第２の折り曲げ部４５の折り曲げ角度θが９０°未満であれば得られ、角度θが小さい程抜け落ち防止効果は大きい。しかし、角度θが小さい程第２の孔部１４を大きくしなければならないので電池バネ４０の取り付けに関わる面積が大きくなり好ましくない。これらの相反する作用を考慮して第２の折り曲げ部４５の折り曲げ角度θを決定すればよい。
【００３２】
以上、一方の電池バネ４０とそれを取り付ける孔部１３、１４について説明したが、他方の電池バネ３０とそれを取り付ける孔部１１、１２についても同様の構造が採用されている。その構造については説明の重複をさけるため省略する。
【産業上の利用可能性】
【００３３】
本発明の電池バネ取り付け構造は、リモコンをはじめ、乾電池で駆動する電気機器に利用することができる。
【図面の簡単な説明】
【００３４】
【図１】リモコンの要部を示した概略図である。
【図２】図１のＡ−Ａ線断面図である。
【図３】基板の要部の平面図である。
【符号の説明】
【００３５】
１０    基板
１３    第１の孔部
１４    第２の孔部
１４ａ    第２の孔部の縁
４０    電池バネ
４３    取り付け部
４４    第１の折り曲げ部
４５    第２の折り曲げ部
【図１】
2007294335.tif 000003
【図２】
2007294335.tif 000004
【図３】
2007294335.tif 000005